(57)【特許請求の範囲】
【請求項１】
仕分け先の異なる紙葉を共通に受け付ける投入口と、
紙葉を仕分け先別に収納する複数の収納区画を並設してなり、該収納区画が傾動可能な仕切りによって仕切られている紙葉収納部と、
前記紙葉収納部の各収納区画に沿って移動するものであって、前記投入口から投入された紙葉を受け取り、該紙葉を収納すべき前記紙葉収納部の収納区画まで搬送して該特定の収納区画に投入する搬送部と
を具え、
前記搬送部が、紙葉を収納すべき特定の収納区画に対応する位置に到来したとき突出して該特定の収納区画を仕切っている一対の前記仕切りの少なくとも一方を動かすことにより該収納区画の開口を広げる部材を具備することを特徴とする紙葉仕分け装置。
【請求項２】
前記投入口において、投入すべき紙葉を載置するガイド部材と、閉状態で前記ガイド部材にて前記紙葉を保持し、開状態において該ガイド部材上の前記紙葉を前記投入口内に落下させる開閉部材とを有することを特徴とする請求項１に記載の紙葉仕分け装置。
【請求項３】
前記ガイド部材は、前記投入口の開口範囲内で所定角度回転することを特徴とする請求項２に記載の紙葉仕分け装置。
【請求項４】
前記搬送部は、該搬送部への前記紙葉の張り付きを該紙葉に風圧を与えることによって防止する張り付き防止手段を更に具えることを特徴とする請求項１乃至３のいずれかに記載の紙葉仕分け装置。
【請求項５】
前記搬送部は、該搬送部に振動を付与することにより当該搬送部への前記紙葉の張り付きを防止する張り付き防止手段を更に具えることを特徴とする請求項１乃至３のいずれかに記載の紙葉仕分け装置。
【請求項６】
前記仕切りは、前記紙葉の張り付きを防止するための凹凸もしくは穴を選択的に有することを特徴とする請求項１乃至５のいずれかに記載の紙葉仕分け装置。
【請求項７】
前記紙葉収納部は、前記紙葉仕分け装置に引き出し可能に設けられた引き出し部に取り外し可能にユニット化されて収納されることを特徴とする請求項１乃至６のいずれかに記載の紙葉仕分け装置。
【発明の詳細な説明】
【０００１】
【発明の属する技術分野】
本発明は、仕分け先の異なる紙葉を仕分け先別に仕分けする紙葉仕分け装置に係り、特に、金融機関などにおいて料金を支払った後に回収されるガス、電気、電話などの支払い伝票の証票（半券）を仕分け先別に仕分けする紙葉仕分け装置に適したものである。
【０００２】
【従来の技術】
従来、ガス、電気、電話などの仕分け先の異なる料金支払い伝票を仕分け先別に仕分け（分類）する装置として、特開平８−２８１２１７号公報に示された分類処理装置がある。この分類処理装置は、天板を有する机形状をなし、該天板上に伝票投入口を設け、該天板下には内部に扇形状の分類収納スペースを複数有する円筒形状の分類別収納部が回転自在に配置されてなる。この分類処理装置では、分類別収納部に伝票を収納する際、該分類別収納部を回転させ、伝票を収納すべき分類収納スペースを伝票投入口と対向する位置で該分類別収納部の回転を停止させ、オペレータが手で伝票を伝票投入口に投入してその分類収納スペースに収納する。
【０００３】
【発明が解決しようとする課題】
上記の従来知られた分類処理装置においては、伝票投入部に対し分類別収納部の分類収納スペースを回転させる構成であるため、分類別収納部の専有スペースが大きく、装置が大型化してしまうという問題がある。また、分類別収納部の各分類収納スペースの形状が扇形状であるため、分類収納スペースの一対の仕切り間にある程度伝票を収納すると、該分類収納スペースの外周部近傍や内周部近傍にデッドスペースが生じ、伝票の収納効率が低下するという問題がある。
【０００４】
本発明は、上記の点に鑑みて為されたものであり、小型化が図れ、しかも紙葉の収納効率を向上させることのできる紙葉仕分け装置を提供することを目的とする。また、紙葉の投入口への投入操作性を向上させた紙葉仕分け装置を提供することを目的とする。また、紙葉の紙葉収納部への収納を容易に行えるようにした紙葉仕分け装置を提供することを目的とする。また、紙葉の搬送部への張り付きやジャムを防止できる紙葉仕分け装置を提供することを目的とする。また、紙葉仕分け業務の効率化を図ることのできる紙葉仕分け装置を提供することを目的とする。
【０００５】
【課題を解決するための手段】
本発明に係る紙葉仕分け装置は、仕分け先の異なる紙葉を共通に受け付ける投入口と、紙葉を仕分け先別に収納する複数の収納区画を並設してなり、該収納区画が傾動可能な仕切りによって仕切られている紙葉収納部と、前記紙葉収納部の各収納区画に沿って移動するものであって、前記投入口から投入された紙葉を受け取り、該紙葉を収納すべき前記紙葉収納部の収納区画まで搬送して該特定の収納区画に投入する搬送部とを具え、前記搬送部が、紙葉を収納すべき特定の収納区画に対応する位置に到来したとき突出して該特定の収納区画を仕切っている一対の前記仕切りの少なくとも一方を動かすことにより該収納区画の開口を広げる部材を具備することを特徴とする。これによれば、搬送部を紙葉収納部の各収納区画に沿って移動させるようにしたので、紙葉収納部の専有スペースを小さくできる上、各収納区画にデッドスペースを生じることがなく、よって、装置の小型化を図れ、しかも紙葉の収納効率を向上させることができるものであり、更に、搬送部が収納区画の開口を広げた状態で紙葉を該収納区画に投入できるので、紙葉の各収納区画への収納が容易となる。
【０００６】
このような構成の紙葉仕分け装置において、紙葉の投入口への投入操作性を向上させるため、一例として、前記投入口において、投入すべき紙葉を載置するガイド部材と、閉状態で前記ガイド部材にて前記紙葉を保持し、開状態において該ガイド部材上の前記紙葉を前記投入口内に落下させる開閉部材とを有することを特徴とする。これによれば、紙葉をガイド部材に載置し、開閉部材の開状態で該紙葉を投入口に落下させるようにしたので、紙葉の投入口への投入操作性を向上できる。また、前記ガイド部材は、前記投入口の開口範囲内で所定角度回転することを特徴とする。このような構成のガイド部材によれば、その回転範囲内で紙葉を投入口に落下させることができる。
【０００７】
このような構成の紙葉仕分け装置においては、紙葉が搬送部に張り付いたり、ジャムしたりすることが予想されるため、これに対処する工夫が必要である。一例として、紙葉に風圧を与えることによって該紙葉の張り付きを防止する風圧付与手段、もしくは搬送部に振動を付与することにより該搬送部への紙葉の張り付きを防止する振動付与手段を選択的に用いるとよい。また、紙葉収納部における仕切りへの紙葉の張り付きを防止するため、仕切りに紙葉の張り付きを防止するための凹凸もしくは穴を選択的に設けるとよい。
【０００８】
また、紙葉運搬業務の効率化を図るため、一例として、前記紙葉収納部は、前記紙葉仕分け装置に引き出し可能に設けられた引き出し部に取り外し可能にユニット化されて収納されることを特徴とする。これによれば、紙葉収納部を引き出し部から取り外せるようにしたので、該引き出し部から取り外した紙葉収納部を台車などを用いて区分棚まで運び、該紙葉収納部の各収納区画から仕分け先別に紙葉を取り出して該区分棚により区分けしておくことができる。
【０００９】
【発明の実施の形態】
以下、添付図面に基づいて本発明に係る紙葉仕分け装置の一実施例を説明する。本実施例に示す紙葉仕分け装置は、例えば、銀行などの各支店で回収したガス、電気、電話などの仕分け先の異なる多量の料金支払い伝票の証票（半券）を仕分け先別（料金支払い先別）に仕分けする証票仕分け業務における証票仕分け装置として適用される。図７に証票仕分け装置の適用例の一例を示す。図７において、例えば、支払人Ａ，Ｂ，Ｃが銀行の支店Ｄａ，Ｄｂ，Ｄｃにガス、電気、電話などの料金支払い伝票を持ち込んで料金を支払うと、各支店Ｄａ，Ｄｂ，Ｄｃでは、その料金支払い伝票の半券を支払い証明票として支払人Ａ，Ｂ，Ｃに返却し、残りの半券を該料金支払い伝票の証票として回収する。各支店Ｄａ，Ｄｂ，Ｄｃにおいて、これらの証票は仕分け先別に、すなわち宛先別（料金支払い先）に仕分けされ、それらの証票の宛先、枚数、金額などのデータを端末機から入力して管理センターＥに送信し、さらにデータ入力済の証票と、該証票のデータ内容を記録した添票とを管理センターＥに送る。管理センターＥでは、各支店Ｄａ，Ｄｂ，Ｄｃから送信される証票の入力データをホストコンピュータＦに格納し、各支店Ｄａ，Ｄｂ，Ｄｃから送られた証票Ｐを証票仕分け装置１０によって宛先別に仕分けする。すなわち、各支店Ｄａ，Ｄｂ，Ｄｃから送られた添票の証票データを図１（ｂ）に示す証票仕分けテーブル１００の端末機１０１からオペレータＯＰが入力すると、ホストコンピュータＦは入力データと証票データとを照合し、両データが一致していれば、証票仕分け装置１０にその証票Ｐの宛先データに対応するアドレスデータを送信し、証票仕分け装置１０がそのアドレスデータに基づき証票Ｐの宛先別の仕分け処理を実行する。なお、証票仕分けテーブル１００は、端末機１０１の他に、処理すべき証票Ｐを宛先別に収納しておく収納棚１０２、ディスプレイ装置１０３などを有する。
【００１０】
図１において、証票仕分け装置１０は、概ね直方体状の外観形態を呈し、例えば、図１（ｂ）に示す証票仕分けテーブル１００の左側（および／または右側）に設置される。証票仕分け装置１０は、図１（ａ）に示すように、仕分け先の異なる証票Ｐを共通に受け入れる投入口２０を上部のトップカバー１１に有し、証票Ｐを仕分け別に収納する複数の収納ポケットＭ１，Ｍ２，…，Ｍｎ、Ｎ１，Ｎ２，…，Ｎｎを直線状に並設してなる２つの箱型のマガジンＭ，Ｎと、投入口２０から証票Ｐを受け取り、マガジンＭ，Ｎの各収納ポケットＭ１，Ｍ２，…，Ｍｎ、Ｎ１，Ｎ２，…，Ｎｎに沿って直線移動するキャリー４０とを下部の筐体１２に有する。本例に示す証票仕分け装置１０は、マガジンＭ，Ｎの有する複数の収納ポケットＭ１，Ｍ２，…，Ｍｎ、Ｎ１，Ｎ２，…，Ｎｎに沿ってキャリー４０が直線移動する構成であるので、図１に示すように、概ね直方体状に作製することができ、よって、設置スペースが比較的小さく、例えば既設の証票仕分け装置の隣に増設することができる。
【００１１】
投入口２０は、該投入口２０を開閉する回動自在のシャッタ２１と、該投入口２０に投入すべき証票Ｐを載置するホッパガイド２２ａ，２２ｂとを有する。トップカバー１１の表面には、シャッタ２１を開動作させて証票Ｐを投入する投入スイッチＳＷ１と、証票Ｐの証票データとホストコンピュータＦの入力データとが一致した場合に点灯する表示器（図示せず）などが設けられる。シャッタ２１は、投入口２０の閉状態でホッパガイド２２ａ，２２ｂにて証票Ｐを保持するが、開状態において該ホッパガイド２２ａ，２２ｂ上の証票Ｐを投入口２０内に落下させる。すなわち、シャッタ２１は、表示器の点灯状態において、オペレータＯＰが投入スイッチＳＷ１をオンすることで、図示しないソレノイドにより下方に回動されて投入口２０を開き、証票Ｐを投入口２０内に落下させる。証票Ｐの表面側に位置するホッパガイド２２ａは、投入すべき証票ＰをオペレータＯＰが確認できるよう透明な材質で形成してある。また、ホッパガイド２２ａ，２２ｂは、投入口２０の開口範囲内でシャッタ２１に対し水平方向に所定角度（例えば略３０度）回転できるように設けられる。これによって、証票仕分け装置１０を図１（ｂ）に示す証票仕分けテーブル１００の左側または右側に設置した場合であっても、オペレータＯＰが証票Ｐを見やすい角度位置にホッパガイド２２ａ，２２ｂを設定することができ、また、その角度位置でシャッタ２１を開状態とすることにより証票Ｐを投入口２０に落下させることができる。このように本例では、証票Ｐをホッパガイド２２ａ，２２ｂに載置し、シャッタ２１の開状態で該証票Ｐを投入口２０に落下させることができるので、証票Ｐの投入口２０への投入操作性が向上する。トップカバー１１は、証票仕分け装置１０のフロントＦ側でメカラッチ１３を介して筐体１２にロックされ、リア側で軸１５を介して筐体１２に開閉自在に枢支されており、例えば証票仕分け装置１０のメンテナンス時に、トップカバー１１の表面に設けられたロック解除スイッチＳＷ２をオンして、該メカラッチ１３のロックをソレノイド１４により解除することで、軸１５を中心に所定角度上方に開くことができる。
【００１２】
マガジンＭ，Ｎは、図１（ａ）に示すように、筐体１２にスライドレール３０を介して引き出し可能に設けられたマガジンテーブル３１内に取り外し可能に収納される。マガジンテーブル３１は、証票仕分け装置１０のフロントＦ側でメカラッチ１６を介してロックされており、マガジンＭ，Ｎを取り出す際に、筐体１２のフロントパネル１２ａに設けられたロック解除スイッチＳＷ３をオンして、該メカラッチ１６のロックをソレノイド１７により解除することで筐体１２から引き出すことができる。マガジンＭ，Ｎの収納ポケットＭ１，Ｍ２，…，Ｍｎ、Ｎ１，Ｎ２，…，Ｎｎは、板状のセパレータＭＳ１，ＭＳ２，…，ＭＳｎ＋１、ＮＳ１，ＮＳ２，…，ＮＳｎ＋１によって等間隔に仕切られている。これらのセパレータＭＳ１，ＭＳ２，…，ＭＳｎ＋１、ＮＳ１，ＮＳ２，…，ＮＳｎ＋１は、それぞれ左右の下端部に設けられた支軸ＭＰ１，ＭＰ２，…，ＭＰｎ＋１、ＮＰ１，ＮＰ２，…，ＮＰｎ＋１によってマガジンＭ，Ｎに支持されており、証票仕分け装置１０のリアＲ側に９０度を越えない範囲で所定角度（略７５〜８０度）傾斜され、かつフロントＦ側に該支軸ＭＰ１，ＭＰ２，…，ＭＰｎ＋１、ＮＰ１，ＮＰ２，…，ＮＰｎ＋１を支点として一定角度開くように構成される。セパレータＭＳ１，ＭＳ２，…，ＭＳｎ＋１、ＮＳ１，ＮＳ２，…，ＮＳｎ＋１には、証票Ｐの張り付きを防止するために凹凸もしくは穴が選択的に設けられる（図２参照）。本例では、例えば図２に示すような穴ＭＨ１，ＭＨ２，…，ＭＨｎ＋１、ＮＨ１，ＮＨ２，…，ＮＨｎ＋１が所定数設けてある。また、セパレータＭＳ１，ＭＳ２，…，ＭＳｎ＋１、ＮＳ１，ＮＳ２，…，ＮＳｎ＋１には、左右の上端部にフラグＭＦ１，ＭＦ２，…，ＭＦｎ＋１、ＮＦ１，ＮＦ２，…，ＮＦｎ＋１が設けられる。左右の上端部に設けた２つのフラグＭＦ１，ＭＦ２，…，ＭＦｎ＋１、ＮＦ１，ＮＦ２，…，ＮＦｎ＋１のうち、一つはセパレータＭＳ１，ＭＳ２，…，ＭＳｎ＋１、ＮＳ１，ＮＳ２，…，ＮＳｎ＋１の位置検出のために用いられ、残りの一つは証票Ｐの宛先を表記したラベルを貼付するために用いられる。このようにフラグＭＦ１，ＭＦ２，…，ＭＦｎ＋１、ＮＦ１，ＮＦ２，…，ＮＦｎ＋１の一つにラベルを貼付することで、収納ポケットＭ１，Ｍ２，…，Ｍｎ、Ｎ１，Ｎ２，…，Ｎｎに収納されている証票Ｐの宛先の確認を簡易に行うことができる。
【００１３】
キャリー４０は、図１に示すように、筐体１２内において、マガジンＭ，Ｎの上方に配され、そのマガジンＭ，Ｎに沿って延びるメインシャフト５０（図２参照）にガイドローラ４１を介して直線移動可能に保持される。キャリー４０には、筐体１２の有するプーリ５０ａ，５０ｂに掛け渡した搬送ベルト５１が連結されており、その搬送ベルト５１をパルスモータ６０がプーリ５０ｂを介して回転させることによってキャリー４０はマガジンＭ，Ｎの各収納ポケットＭ１，Ｍ２，…，Ｍｎ、Ｎ１，Ｎ２，…，Ｎｎに沿って直線移動する。キャリー４０は、証票Ｐが通る通路４２と、該証票Ｐを通路４２下部の開口４４に案内する傾斜ガイド４３と、該開口４４を開閉する回動自在のシャッタ４５と、通路４２内において証票Ｐを光学的に検出する証票検出センサＳ１と、セパレータＭＳ１，ＭＳ２，…，ＭＳｎ＋１、ＮＳ１，ＮＳ２，…，ＮＳｎ＋１のフラグＭＦ１，ＭＦ２，…，ＭＦｎ＋１、ＮＦ１，ＮＦ２，…，ＮＦｎ＋１を光学的に検出するフラグ検出センサＳ２と、セパレータＭＳ１，ＭＳ２，…，ＭＳｎ＋１、ＮＳ１，ＮＳ２，…，ＮＳｎ＋１を開動作させるフォーク４６と、該通路４２内の証票Ｐに張り付き防止のための風圧を付与するファン４７と、フォーク４６が突出したことを光学的に検出するフォーク検出センサＳ３と、シャッタ４５が開いたことを光学的に検出するシャッタ検出センサＳ４とを有する。シャッタ４５およびフォーク４６は、キャリー４０に設けられた図示しないカム機構を介して連動動作可能に連結されており、該カム機構がメインシャフト５０と平行なサブシャフト５２によって所定方向へ回転されることにより連動動作する。
【００１４】
キャリー４０は、トップカバー１１の投入口２０の真下で待機しており、シャッタ２１が上述のように開動作して投入口２０に証票Ｐが投入されると、図２に示すように、その証票Ｐを通路４２に通し、該証票Ｐを傾斜ガイド４３でシャッタ４５に案内し、閉状態のシャッタ４５でその証票Ｐを受ける。証票検出センサＳ１は、その証票Ｐを光学的に検出し、その検出信号を図５に示す制御部７０に出力する。制御部７０では、証票検出センサＳ１から証票Ｐの検出信号を入力し、上記の証票ＰのアドレスデータＡｄに基づきパルスモータ６０を駆動して該アドレスデータＡｄに対応する所定の収納ポケットＭ１，Ｍ２，…，Ｍｎ、Ｎ１，Ｎ２，…，Ｎｎまでキャリー４０を搬送する制御を行う。すなわち、制御部７０は、図６に示すように、ホストコンピュータＦより証票ＰのアドレスデータＡｄを取り込み（ステップ１）、証票検出センサＳ１から証票Ｐの検出信号を入力すると（ステップ２）、パルスモータ６０を例えば正転駆動して、キャリー４０を移動させ（ステップ３）、該パルスモータ６０の回転数を図５に示すパルスエンコーダ６１で検出してキャリー４０の待機位置からの移動量Ｃｐを計算し（ステップ４）、その移動量ＣｐがアドレスデータＡｄに対応する収納ポケットのＭ１，Ｍ２，…，Ｍｎ、Ｎ１，Ｎ２，…，Ｎｎのアドレス（位置データ）と等しくなるまでパルスモータ６０の駆動を制御する（ステップ５）。また、制御部７０は、キャリー４０の移動中においてフラグ検出センサＳ２が検出する各セパレータＭＳ１，ＭＳ２，…，ＭＳｎ＋１、ＮＳ１，ＮＳ２，…，ＮＳｎ＋１のフラグＭＦ１，ＭＦ２，…，ＭＦｎ＋１、ＮＦ１，ＮＦ２，…，ＮＦｎ＋１の検出信号を入力してカウントし、該証票Ｐを収納すべき収納ポケットＭ１，Ｍ２，…，Ｍｎ、Ｎ１，Ｎ２，…，Ｎｎの手前側のセパレータＭＳ１，ＭＳ２，…，ＭＳｎ＋１、ＮＳ１，ＮＳ２，…，ＮＳｎ＋１のフラグＭＦ１，ＭＦ２，…，ＭＦｎ＋１、ＮＦ１，ＮＦ２，…，ＮＦｎ＋１を該フラグ検出センサＳ２が検出すると（ステップ６）、図５に示すシャッタ／フォーク作動モータ６２を駆動させ、該シャッタ／フォーク作動モータ６２によりサブシャフト５２を所定の方向へ回転させてカム機構を介しシャッタ４５およびフォーク４６を動作させると共に、ファン４７を起動させる（ステップ７）。ここで、シャッタ４５およびフォーク４６の動作を容易に理解できるように図３を参照して説明する。図３（ａ）に示すように、例えば、証票Ｐを収納ポケットＭ３に収納する場合、制御部７０において、キャリー４０の移動量検出信号に基づき該キャリー４０が該収納ポケットＭ３に対応する所定の位置まで到来したことを検出すると共に、フラグ検出センサＳ２が該収納ポケットＭ３の手前側の仕切りＭＳ３のフラグＭＦ３を検出したとき、シャッタ／フォーク作動モータ６２を例えば正転駆動すると共に、ファン４７を起動させる（ステップ７）。シャッタ／フォーク作動モータ６２が正転駆動されることによりサブシャフト５２が所定方向へ回転され、これによって、カム機構が動作してフォーク４６とシャッタ４５を次のように動作させる。すなわち、フォーク４６は、カム機構が動作することにより収納ポケットＭ３内（つまり手前の仕切りＭＳ３とその次の仕切りＭＳ４との間）に突出し（ステップ８）、キャリー４０の更なる移動に応じて仕切りＭＳ３を傾斜を減らす方向に回動させて該収納ポケットＭ３の間口（開口）を広げる。このとき、フォーク検出センサＳ３は、フォーク４６が突出したことを検出し、その検出信号を制御部７０が入力する（ステップ９）。シャッタ４５は、フォーク４６の突出とほぼ同時に支軸４５ａを支点に反時計方向に回転し始め、開口４４を完全に開放した位置で停止する（ステップ１０）。このとき、シャッタセンサＳ４は、シャッタ４５が開いたことを検出し、その検出信号を制御部７０が入力する（ステップ１１）。制御部７０では、これらの検出信号に基づきパルスモータ６０の駆動を停止して、搬送ベルト５１によるキャリー４０の移動を停止させる（ステップ１２（図３（ｂ）参照））。キャリー４０の停止位置での仕切りＭＳ３の傾斜角度θは、図３（ｂ）に示すように、θ＜９０である。図３（ｂ）において、シャッタ４５が開口４４を開放すると、証票Ｐは、通路４２によって開口４４に案内され、該通路４２の開口４４側に設けられた通風口４２ａよりファン４７が送り込む送風Ｗの風圧によって仕切りＭＳ３の開き側から収納ポケットＭ３に流され、該仕切りＭＳ３に沿って収納ポケットＭ３内に落下し収納される。この際、証票Ｐがファン４７の送風Ｗの風圧によって仕切りＭＳ３に張り付いたとしても、仕切りＭＳ３には複数の穴ＭＨ３が設けられているので、証票Ｐが仕切りＭＳ３に密着することがなく、証票Ｐはファン４７の風圧の影響を受けなくなったときに仕切りＭＳ３から離れ、仕切りＭＳ４側に傾倒する。このように証票Ｐをファン４７の風圧によって強制的に収納ポケットＭ３内に落下させているので、キャリー４０の通路４２に証票Ｐが静電気によって張り付いたり、証票Ｐのシワやカールなどによって該証票Ｐがキャリー４０の通路４２にジャムしたりすることを確実に防止することができる。また、仕切りＭＳ３の開き側から証票Ｐを収納ポケットＭ３に流し落としているので、証票Ｐを収納ポケットＭ３に収納し易い。制御部７０は、証票Ｐがキャリー４０から収納ポケットＭ３に落下する所要時間経過後に、シャッタ／フォーク作動モータ６２を先の回転方向とは逆方向に回転駆動すると共に、ファン４７を停止させる（ステップ１３）。シャッタ／フォーク作動モータ６２が逆転駆動されることによってサブシャフト５２が先の回転方向とは逆方向へ回転され、これに伴いカム機構が動作して、フォーク４６を収納ポケットＭ３内から退却させ（ステップ１４）、シャッタ４５を開口４４の下方に回動させて該開口４４を閉じる（ステップ１５）。フォーク４６が収納ポケットＭ３内から退却することで、仕切りＭＳ３は元の傾斜位置まで戻る。制御部７０は、フォーク検出センサＳ３およびシャッタ検出センサＳ４から検出信号の入力がなくなったときパルスモータ６０を逆転駆動して、搬送ベルト５１によりキャリー４０を待機位置まで移動させる（ステップ１６）。なお、本例によれば、ファン４７の風圧を利用して、証票Ｐのキャリー４０への張り付き、証票Ｐのシワやカールなどによって証票Ｐがキャリー４０の通路４２にジャムすることを防止したが、��ファン４７に代えて、キャリー４０に微振動を付与するバイブレータを設け、このバイブレータによる微振動を利用して、証票Ｐのキャリー４０への張り付き、証票Ｐのシワやカールなどによって証票Ｐがキャリー４０の通路４２にジャムすることを防止するように構成してもよい。また、ファン４７とバイブレータとを併せて使ってもよい。
【００１５】
証票仕分け装置１０は、投入口２０から新たな証票が投入される毎に上述の証票仕分け処理を繰り返し行い、仕分け先の異なる証票をマガジンＭ，Ｎの各収納ポケットＭ１，Ｍ２，…，Ｍｎ、Ｎ１，Ｎ２，…，Ｎｎに宛先別に収納する。こうして仕分け先の異なる証票を証票仕分け装置１０によって宛先別に仕分けした後、マガジンテーブル３１のメカラッチ１６によるロックを解除し、図４（ａ）に示すように、証票仕分け装置１０の筐体１２からマガジンテーブル３１を引き出す。マガジンＭ，Ｎは、マガジンテーブル３１から取り出されて台車８０に移し載せられ、その台車８０によって図４（ｂ）に示す最終区分棚Ｈまで運ばれ、各収納ポケットＭ１，Ｍ２，…，Ｍｎ、Ｎ１，Ｎ２，…，Ｎｎに宛先別に仕分けされた証票をその最終区分棚Ｈに設けられた所定の区分棚Ｈ１に宛先別に区分けされる。このようにマガジンＭ，Ｎをマガジンテーブル３１から取り外せるようにしたので、証票仕分け後の証票運搬業務を効率よく行うことができる。
なお、上述の実施の形態では、マガジンが２つの場合について記述したが、１つでもよく、また、２つ以上であってもよい。
【００１６】
【発明の効果】
以上のとおり、本発明によれば、小型化を図れ、しかも紙葉の収納効率を向上させることができる。また、紙葉の投入口への投入操作性を向上させることができる。また、紙葉の紙葉収納部における各収納区画への収納を容易に行うことができる。また、紙葉の搬送部への張り付きやジャムを防止することができる。また、紙葉仕分け業務の効率化を図ることのできる。
【図面の簡単な説明】
【図１】  本実施例に係る証票仕分け装置の一例を示し、（ａ）は同装置の概要断面図、（ｂ）同装置の設置例を示す図。
【図２】  本実施例に係る証票仕分け装置のキャリー、収納ポケットおよび仕切りの説明図。
【図３】（ａ）はフォークがキャリーの移動に伴って仕切りを開動作させるときの説明図、（ｂ）はファンが証票を収納ポケットに流し落とすときの説明図。
【図４】  本実施例に係る証票仕分け装置による証票仕分け後の証票運搬業務の例を示す説明図。
【図５】  本実施例に係る証票仕分け装置のキャリーと制御部とのシステム構成を示すブロック図。
【図６】  制御部によって制御されるキャリーの動作の一例を示すフローチャート。
【図７】  本実施例の証票仕分け装置を証票仕分け業務に適用する一例を示す図。
【符号の説明】
２０  投入口
２１  シャッタ
２２ａ，２２ｂ  ホッパガイド
３１  マガジンテーブル
４０  キャリー
４４  開口
４５  シャッタ
４６  フォーク
４７  ファン
Ｍ，Ｎ  マガジン
Ｍ１，Ｍ２，…，Ｍｎ  収納ポケット
Ｎ１，Ｎ２，…，Ｎｎ  収納ポケット
ＭＳ１，ＭＳ２，…，ＭＳｎ＋１  セパレータ
ＮＳ１，ＮＳ２，…，ＮＳｎ＋１  セパレータ
Ｐ  証票
【図１】
0003782929.tif 000002
【図２】
0003782929.tif 000003
【図３】
0003782929.tif 000004
【図４】
0003782929.tif 000005
【図５】
0003782929.tif 000006
【図６】
0003782929.tif 000007
【図７】
0003782929.tif 000008